(57)【要約】【課題】  回路の誤動作を防止し、安定した表示出力を行うことができる車両用表示装置を提供する。【解決手段】  液晶表示パネル１０と、液晶表示パネル１０を透過照明する発光素子２１を実装した回路基板２３を有するバックライト部２０と、バックライト部２０を収容するハウジング３０と、を備えた車両用表示装置であって、ハウジング３０は、中ケース３１と下ケース３２とを係合することで保持され、回路基板２３には、中ケース３１と下ケース３２との間隙Ｓに対向する箇所に受け部２３ｂを設ける。【選択図】  図２
2016038443.tif 000002
【特許請求の範囲】
【請求項１】
液晶表示パネルと、前記液晶表示パネルを透過照明する発光素子を実装した回路基板を有するバックライト部と、前記バックライト部を収容するハウジングと、を備えた車両用表示装置であって、
前記ハウジングは、第一のケースと第二のケースとを係合することで保持され、
前記回路基板には、前記第一のケースと前記第二のケースとの間隙に対向する箇所にランドを設けることを特徴とする車両用表示装置。
【請求項２】
前記回路基板は、複数の前記間隙のそれぞれに対向する箇所に、ランドを設けてなり、これらランド間に金属面が露出して離間する露出部を設けることを特徴とする請求項１に記載の車両用表示装置。
【請求項３】
前記ランドのうち一方は、電気的に接続されない導電パターンに形成され、
他方は、接地接続された導電パターンに形成されることを特徴とする請求項２に記載の車両用表示装置。
【発明の詳細な説明】
【技術分野】
【０００１】
本発明は、車両用表示装置に関し、例えば、液晶表示パネルを透過照明するバックライト部を備えた車両用表示装置に好適である。
【背景技術】
【０００２】
従来より、車両用表示装置が種々提案されており、例えば特許文献１に開示されている。この表示装置は、ハウジングに収容されたバックライト部によって液晶表示パネルを透過照明する。バックライト部は、液晶表示パネルを透過照明する照明光を発する発光素子を有しており、この発光素子は回路基板に搭載されている。
【先行技術文献】
【特許文献】
【０００３】
【特許文献１】特開２０１１−１６４５０２号公報
【発明の概要】
【発明が解決しようとする課題】
【０００４】
しかしながら、回路基板を収容したハウジングに微小な隙間がある場合、車両用表示装置の組み付け時など、外部からその隙間を介して静電気が侵入し、回路基板に搭載された回路素子（電子部品）が破損したり、誤作動によって表示出力に影響を与えてしまう虞があり、対策する必要があった。
【０００５】
そこで本発明は、この問題に鑑みなされたものであり、回路の誤動作を防止し、安定した表示出力を行うことができる車両用表示装置を提供する。
【課題を解決するための手段】
【０００６】
本発明は、液晶表示パネルと、前記液晶表示パネルを透過照明する発光素子を実装した回路基板を有するバックライト部と、前記バックライト部を収容するハウジングと、を備えた車両用表示装置であって、
前記ハウジングは、第一のケースと第二のケースとを係合することで保持され、
前記回路基板には、前記第一のケースと前記第二のケースとの間隙に対向する箇所にランドを設けることを特徴とする。
【０００７】
また、前記回路基板は、複数の前記間隙のそれぞれに対向する箇所に、ランドを設けてなり、これらランド間に金属面が露出して離間する露出部を設けることを特徴とする。
【０００８】
また、前記ランドのうち一方は、電気的に接続されない導電パターンに形成され、
他方は、接地接続された導電パターンに形成されることを特徴とする。
【発明の効果】
【０００９】
本発明は、車両用表示装置に関し、回路の誤動作を防止し、安定した表示出力を行うことができる。
【図面の簡単な説明】
【００１０】
【図１】本発明の実施形態を示す正面図。
【図２】同上実施形態を示すＡ−Ａ断面図。
【図３】同上実施形態の回路基板２３を示す図。
【発明を実施するための形態】
【００１１】
以下、本発明の車両用表示装置の実施形態として、車両のインストルメントパネルに設けられる車両用計器に適用したものを例に挙げて図面を用いて説明する。図１、２は、本発明の実施形態による車両用計器Ａの概略構成を示している。
【００１２】
車両用表示装置は、液晶表示パネル１０と、バックライト部２０と、ハウジング３０と、金属フレーム４０と、回路基板５０とを備えている。液晶表示パネル１０は、透明電極が形成された一対のガラス基板に液晶を封入した液晶セルの前後両面に偏光板を貼着して形成される。液晶表示パネル１０の後面側には、光拡散部材１５及びプリズムシート１６が設けられる。液晶表示パネル１０は、図示しない可撓性配線部材により、回路基板５０と接続されている。
【００１３】
バックライト部２０は、サイドライト型バックライトであり、発光素子２１と、導光板（導光部材）２２と、回路基板２３とを有しており、液晶表示パネル１０を透過照明する。バックライト部２０の発光素子２１は、トップビュー型の発光ダイオードからなるものであり、導光板２２に照明光を照射する。発光素子２１は、回路基板２３に搭載されている。
【００１４】
導光板２２は、アクリル等の透光性樹脂からなるものであり、平板形状になっている。バックライト部２０は、導光板２２の側端面に沿うように、直線状に設けられた複数の発光素子２１を有している。回路基板２３は、ハウジング３０に収容され、ハウジング３０の側壁部３１ｃ、３２ｃに沿うように配置されている。回路基板２３は、回路基板５０に接続されるコネクタ２３０を有している。
【００１５】
ハウジング３０は、合成樹脂を成形して形成され、液晶表示パネル１０，バックライト部２０，回路基板２３，５０が収容されている。また、ハウジング３０は、中ケース（第１のケース）３１及び下ケース（第２のケース）３２からなる。
【００１６】
中ケース３１は、液晶表示パネル１０等を支持する前面部３１ａと、係止爪３１ｂが形成された側壁部３１ｃと、導光板２２を支持する支持部３１ｆとを一体に有している。下ケース３２は、底面部３２ａと、弾性係止片３２ｂが形成された側壁部３２ｃとを有している。下ケース３２の弾性係止片３２ａは、中ケース３１の係止爪３１ｂに保持される。また、中ケース３１と下ケース３２とが突き当たる箇所において、それぞれの熱変形や成形時の寸法誤差から、間隙Ｓが生じることになる。なお、この場合、ハウジング３０の組付け時、係止させる際の変形に必要な間隙Ｓを意図して設けている。
【００１７】
金属フレーム４０は、前面部４１及びフランジ部４２を有している。金属フレーム４０の前面部４１には、液晶表示パネル１０の画面を視認可能な矩形の開口４１ｂが形成されている。金属フレーム４０のフランジ部４２には、図示しない係止構造によって、中ケース３１に保持される。また、フランジ部４２は、回路基板５０のグランド電極に接続されている。
【００１８】
回路基板２３，５０は、ガラスエポキシ樹脂基板に銅箔パターン（導電パターン）を施したプリント配線基板を適用でき、コネクタ２３０，５１によって互いに接続されている。回路基板５０の実装面は、液晶表示パネル１０や導光体２２の板面と略平行で、回路基板２３の実装面と垂直に位置するように設けられる。回路基板５０には、液晶表示パネル１０及び発光素子２１を制御するマイクロコンピュータ５５が搭載されている。
【００１９】
回路基板２３には、図３に示すように、中ケース３１と下ケース３２の間隙Ｓ位置に対向する箇所に、銅箔パターンからなる受け部（ランド）２３ａ，２３ｂが設けられている。この受け部２３ａ，２３ｂは、絶縁膜が形成されない銅箔パターンの露出箇所であり、この場合、２つの間隙Ｓに対応して２箇所形成されている。なお、図３は、回路基板２３におけるハウジング３０の側壁部３１ｃ，３２ｃの対向面を示す平面図と、その要部を示す断面図である。
【００２０】
一方の受け部２３ａは、他の電極や配線に対して電気的に接続していない銅箔パターンからなり、他方の受け部２３ｂは、導電性のスルーホール２３ｃを介して、反対側の実装面でグランド接続されている。また、この受け部２３ａ，２３ｂ間の配線パターンにおいて、互いに形成された銅箔の露出部２３ｄ，２３ｅを近くに設けている。露出部２３ｄ，２３ｅは、両方とも絶縁膜２３ｆで覆わず、周辺の配線２３１との間隔よりも短い距離、この場合、２ミリメートル以内で離間して形成されている。
【００２１】
露出部２３ｄ，２３ｅや絶縁膜２３ｆの形状によって、仮に、ハウジング３０の間隙Ｓを介して一方の受け部２３ａに静電気が印加された場合に、静電気がこの露出部２３ｄ，２３ｅ間を飛び超えて、他方の受け部２３ｂに接続されたグランド電極へ流れ易くして導いているため、一方の受け部２３ａ周辺に形成され絶縁膜２３ｆが施された他の配線２３１や発光素子２１などの電子部品へ静電気が伝わることを防止できる。また、受け部２３ａ，２３ｂ間が導通していないのでグランド用の配線を短くでき、列状の発光素子２１を有するバックライト部２０用の細長い回路基板２３であっても、ノイズを伝えるアンテナ構造になりにくい。
【００２２】
斯かる車両用表示装置は、液晶表示パネル１０と、液晶表示パネル１０を透過照明する発光素子２１を実装した回路基板２３を有するバックライト部２０と、バックライト部２０を収容するハウジング３０と、を備えた車両用表示装置であって、ハウジング３０は、中ケース３１と下ケース３２とを係合することで保持され、回路基板２３には、中ケース３１と下ケース３２との間隙Ｓに対向する箇所に受け部２３ｂを設ける。
【００２３】
従って、静電気が間隙Ｓを介して侵入した場合であっても、これを特定箇所で受けることができるため、他の電子部品に静電気が印加してしまい回路の誤動作が生じることを防止し、安定した表示出力を行うことができる車両用表示装置となる。
【００２４】
また、回路基板２３は、複数の間隙Ｓのそれぞれに対向する箇所に、受け部２３ａ，２３ｂを設けてなり、これら受け部２３ａ，２３ｂ間に銅箔が露出して離間する露出部２３ｄ，２３ｅを設けることによって、静電気を導く構成のまま、各配線を短くしアンテナ化を防ぐことができため、静電気やノイズによる、回路の誤動作を防止し、安定した表示出力を行うことができる車両用表示装置となる。特に、回路基板５，２３の実装面が略垂直である場合であっても、静電気対策用に設けられ通常の表示制御で使用しない配線がアンテナ化することでノイズを送受信してしまうことを防止できる。
【００２５】
また、受け部のうち一方（２３ａ）は、電気的に接続されない銅箔パターンに形成され、他方（２３ｂ）は、グランド接続された銅箔パターンに形成されることによって、必要以上に長いグランド配線を短くできるため上述した効果を得ることができる。
【００２６】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２７】
本発明は、移動体に搭載して各種情報を表示する車両用表示装置に関して、例えば、自動車やオートバイ、あるいは農業機械や建設機械を備えた移動体に搭載される計器として好適である。
【符号の説明】
【００２８】
１０    液晶表示パネル
１５    光拡散部材
１６    プリズムシート
２０    バックライト部
２１    発光素子
２２    導光板
２３    回路基板
２３０  コネクタ
２３１  配線
２３ａ  受け部（ランド）
２３ｂ  受け部（ランド）
２３ｃ  スルーホール
２３ｄ  露出部
２３ｅ  露出部
２３ｆ  絶縁膜
３０    ハウジング
３１    中ケース（第１のケース）
３１ａ  前面部
３１ｂ  係止爪
３１ｃ  側壁部
３２    下ケース（第２のケース）
３２ａ  底部
３２ｂ  弾性係止片
３２ｃ  側壁部
４１ｂ  開口
４２    フランジ部
５０    回路基板
５１    コネクタ
５５    マイクロコンピュータ
【図１】
2016038443.tif 000003
【図２】
2016038443.tif 000004
【図３】
2016038443.tif 000005